(57)【要約】【課題】プラネタリーミキサーにおいて、タンク内を加圧若しくは真空減圧して処理を行う際、軸封部から金属粉が生じないようにしたプラネタリーミキサーを提供する。【解決手段】支持筒（４）を貫通して延びる主軸（３）にローター（５）を取り付ける。このローター（５）は、ギアケース部（６）とベアリングケース部（７）を有し、上記ベアリングケース部（７）にはブレード軸（８）が軸支され、その下部にはブレード（２８）が設けられている。上記ギアケース部（６）の上方には、上記支持筒（４）を囲むよう上部筒（１２）があり、上記ベアリングケース部（７）の下方には上記ブレード軸（８）を囲むよう下部筒（１３）が設けられている。上記上部筒（１２）と支持筒（４）間及び下部筒（１３）とブレード軸（８）間には、それぞれ磁気シールユニット（１５），（１８）　が設けられている。【選択図】　　　　図１
2004041903.tif 000002
【特許請求の範囲】
【請求項１】
タンク上に位置する攪拌ヘッドに支持筒を設け、該支持筒に主軸を挿通し、該主軸の下部にローターを取り付け、該ローターのベアリングケース部に複数のブレード軸を軸支し、該ローターのギアケース部に延びる上記ブレード軸の先端に遊星歯車を設け、該遊星歯車を上記支持筒に設けた太陽歯車に係合し、上記ブレード軸の下端にタンク内で回転するようブレードを設け、上記ローターのギアケース部の上方に上記支持筒を囲む上部筒を形成し、該上部筒と支持筒間に磁気シールユニットを設け、上記ローターのベアリングケース部の下方に上記ブレード軸を囲む下部筒を形成し、該下部筒とブレード軸間に磁気シールユニットを設けたことを特徴とするプラネタリーミキサー。
【請求項２】
上記上部筒に設けた磁気シールユニットの下方には、上記支持筒を軸支するベアリングが設けられている請求項１に記載のプラネタリーミキサー。
【請求項３】
上記下部筒に設けた磁気シールユニットの上方には、上記ブレード軸を軸支するベアリングが設けられている請求項１または２に記載のプラネタリーミキサー。
【発明の詳細な説明】
【０００１】
【発明の属する技術分野】
本発明は、タンク内でブレードを遊星運動させて処理材料を混練等するようにしたプラネタリーミキサーに関する。
【０００２】
【従来の技術】
プラネタリーミキサーは、２軸、３軸等のブレード軸を有し、該ブレード軸に設けたブレードをタンク内で遊星運動させ、強力な混合、攪拌、混練作用を行うことができ、特に固体（粉粒体）と液体との混合物よりなる粘性体（ペースト）材料の攪拌、混練等にすぐれており、またタンク内を加圧したり、加熱、真空減圧等することにより水性系および溶剤系の材料のフラッシングやパウダー化が可能であり、種々の製品の生産に用いられている。
【０００３】
上記のように、タンク内を加圧したり、真空減圧して処理するには、タンクの上面をフードで覆って行うが、上記ブレードを駆動する主軸やブレード軸は、大気側に連通しているので、主軸等の周辺からの通気を防止するよう上記プラネタリーミキサーには軸封装置が設けられている。通常、プラネタリーミキサーの軸封装置としては、主軸により回転されるローターの軸封部にゴム系またはテフロン（登録商標）系のオイルシールタイプのリップシールを１〜２段取り付け、該リップシールを各軸に装着した軸スリーブに摺接させている。該軸スリーブは、ステンレス鋼で構成され、窒化処理等による表面硬化処理を施されているが、リップシールと軸スリーブが接触して回転する構造のため、リップシールの摩耗粉や軸スリーブから摩耗した金属粉がローターの回転に伴ってタンク内に落下してしまうことがある。しかし、処理材料の中には、金属の混入が絶対的に認められない場合があり、そのような材料のときには、従来のプラネタリーミキサーを使用することができなかった。
【０００４】
【発明が解決しようとする課題】
本発明の解決課題は、タンク内を加圧または真空減圧状態に保持して処理を行うプラネタリーミキサーにおいて、主軸により回転されるローターから処理中に金属粉等がタンク内に落下して処理材料中に混入するおそれがないようにしたプラネタリーミキサーを提供することである。
【０００５】
【課題を解決するための手段】
本発明によれば、タンク上に位置する攪拌ヘッドに支持筒を設け、該支持筒に主軸を挿通し、該主軸の下部にローターを取り付け、該ローターのベアリングケース部に複数のブレード軸を軸支し、該ローターのギアケース部に延びる上記ブレード軸の先端に遊星歯車を設け、該遊星歯車を上記支持筒に設けた太陽歯車に係合し、上記ブレード軸の下端にタンク内で回転するようブレードを設け、上記ローターのギアケース部の上方に上記支持筒を囲む上部筒を形成し、該上部筒と支持筒間に磁気シールユニットを設け、上記ローターのベアリングケース部の下方に上記ブレード軸を囲む下部筒を形成し、該下部筒とブレード軸間に磁気シールユニットを設けたことを特徴とするプラネタリーミキサーが提案され、上記課題が解決される。
【０００６】
上記磁気シールユニットは、磁石、ヨーク及び磁性流体を含む磁気シールを具備し、該磁気シールにより回転部とヨーク間に磁性流体をかけ渡して磁性流体膜を形成し、この磁性流体膜によりシールすることができるので、ローターが回転しても従来のように摩耗により金属粉等が発生するおそれがない。
【０００７】
【発明の実施の形態】
図１は本発明の一実施例を示し、２軸のブレード軸を有するプラネタリーミキサーを示してあるが、３軸若しくはそれ以上のブレード軸を有するプラネタリーミキサーに本発明を適用することもできる。該プラネタリーミキサーは、公知のように、タンク（１）に対して昇降可能に設けた攪拌ヘッド（２）を有し、該攪拌ヘッドにはモーター等の駆動手段（図示略）により駆動される主軸（３）がある。該主軸（３）は上記攪拌ヘッド（２）に固定した支持筒（４）にベアリング（図示略）を介して回転自在に軸支され、該支持筒（４）を通って下方に延びる下部にローター（５）が取り付けられている。
【０００８】
上記ローター（５）は、ギアケース部（６）とその下方に気密的に連結されるベアリングケース部（７）を有し、該ベアリングケース部（７）には、複数の、図に示す実施例では２つのブレード軸（８），（８）がベアリング（９），（９）により回転自在に軸支されている。該ブレード軸（８）の先端には、上記ギアケース部（６）に延び、遊星歯車（１０）が設けられており、該遊星歯車（１０）は上記支持筒（４）に設けた太陽歯車（１１）に係合している。図１においては、該太陽歯車は、遊星歯車の内側に位置しているが、遊星歯車の外側に位置するように内歯太陽歯車を用いてもよい。
【０００９】
上記ギアケース部（６）の上方には上記支持筒（４）を囲むよう上部筒（１２）が取り付けられ、上記ベアリングケース部（７）の下方には上記ブレード軸（８）を囲むよう下部筒（１３）が取り付けられている。図２は、主として上部筒（１２）部分を示し、上記支持筒（４）の外周には、スリーブ（１４）が気密的に装着され、該スリーブ（１４）と上部筒（１２）の間には磁気シールユニット（１５）が設けられ、該磁気シールユニット（１５）の下方にはベアリング（１６），（１６）　が設けられている。
【００１０】
図３は、主として下部筒（１３）部分を示し、上記ブレード軸（８）の外周にはスリーブ（１７）が気密的に装着され、該スリーブ（１７）と下部筒（１３）間には磁気シールユニット（１８）が設けられ、該磁気シールユニット（１８）の上方にはベアリング（１９），（１９）　が設けられている。なお、上記上部筒（１２）及び下部筒（１３）は、上記各ケース部（６），（７）と別体に形成し、ねじ（図示略）等で気密的に取り付けてあるが、各ケース部（６），（７）とそれぞれ一体的に形成することもできる。
【００１１】
上記磁気シールユニット（１５），（１８）　は、公知の種々の磁性流体軸封装置を用いることができ、図４にはその一例が示されている。図４に示すように、磁気シールユニット（１５），（１８）　は、外筒部材（２０）内に内筒部材（２１）を軸受（２２），（２２）　を介して回転自在に設け、該軸受（２２），（２２）　間の内筒部材の外周に磁石、ヨーク、磁性流体を含む磁気シール（２３）を設けてあり、上記外筒部材（２０）にＯリング等の弾性部材（２４）を嵌着して上記上部筒（１２）若しくは下部筒（１３）内に密嵌すると共に上記内筒部材（２１）にＯリング等の弾性部材（２５）を嵌着して上記スリーブ（１４），（１７）　の外面に密嵌してある。
【００１２】
上記磁気シールユニットは、上記上部筒（１２）及び下部筒（１３）の他、図に示す実施例ではローター内の主軸（３）と支持筒（４）間やブレード軸（８）とベアリングケース部（７）間にも磁気シールユニット（２６），（２７）　を設けることができるが、これらの部分はローターの内部に設けられているので、従来のリップシールでもよい。
【００１３】
上記主軸（３）が駆動手段により回転すると、上記ローター（５）が回転し、上記ブレード軸（８），（８）に取り付けた枠型ブレード等のブレード（２８），（２８）　が遊星運動して回転する。そして、タンクの上面をフード（２９）で覆ってタンク（１）内を加圧したり、真空減圧しても上記ローター（５）の上部筒（１２）及び下部筒（１３）部分の磁気シールユニット（１５），（１８）　によりローター（５）内は気密に保持されるから、上記真空減圧状態を保持することができ、摩耗により金属粉を生じることもなく、処理材料に金属が混入するおそれもない。なお、図４に示すように磁気シールユニットに弾性部材（２４），（２５）　を設けると、ブレードを強力に回転させることによりブレード軸等に微小のたわみを生じても確実にシールすることができる。
【００１４】
【発明の効果】
本発明は上記のように構成され、タンク上に位置する攪拌ヘッドに支持筒を設け、該支持筒に主軸を挿通し、該主軸の下部にローターを取り付け、該ローターのベアリングケース部に複数のブレード軸を軸支し、該ローターのギアケース部に延びる上記ブレード軸の先端に遊星歯車を設け、該遊星歯車を上記支持筒に設けた太陽歯車に係合し、上記ブレード軸の下端にタンク内で回転するようブレードを設け、上記ローターのギアケース部の上方に上記支持筒を囲む上部筒を形成し、該上部筒と支持筒間に磁気シールユニットを設け、上記ローターのベアリングケース部の下方に上記ブレード軸を囲む下部筒を形成し、該下部筒とブレード軸間に磁気シールユニットを設けたから、真空減圧状態等で上記ローターを回転して上記ブレードをタンク内で遊星運動させても、真空状態等を保持することができ、この際従来のように上記支持筒やブレード軸の周囲から摩耗により金属粉が生じることもなく、タンク内の処理材料に金属を混入させないようにすることができる。
【図面の簡単な説明】
【図１】本発明の一実施例を示す説明図。
【図２】主として上部筒部分の拡大断面図。
【図３】主として下部筒部分の拡大断面図。
【図４】磁気シールユニットの一実施例を示す断面図。
【符号の説明】
３…主軸
４…支持筒
５…ローター
６…ギアケース部
７…ベアリングケース部
８…ブレード軸
１２…上部筒
１３…下部筒
１５，　１８，　２６，　２７…磁気シールユニット
【図１】
2004041903.tif 000003
【図２】
2004041903.tif 000004
【図３】
2004041903.tif 000005
【図４】
2004041903.tif 000006